(57)【要約】【課題】直感的に操作でき、かつ、故障の可能性が少ない身飾品を提供すること。【解決手段】平面視環状の身飾品１であって、環状の形状を構成する弾性ワイヤ１０と、弾性ワイヤ１０の一方の端部に形成され、内部が空間部になっている中空部材３０と、中空部材３０が形成されている端部とは別の弾性ワイヤ１０の端部に接続された内側部材２０と、を有し、中空部材３０の空間部は、内側部材２０の外形よりも大きく形成されており、中空部材３０は、内側部材２０の外形よりも大きく形成された第一開口部と、第一開口部の開口面に対して、略垂直方向に延びるように形成される第二開口部を有し、第二開口部の通路部の幅は、内側部材２０の外形よりも小さく、かつ、弾性ワイヤ１０の直径φ１よりも大きく形成されており、内側部材２０の近傍の弾性ワイヤ１０が第二開口部を出入りすることによって、内側部材２０が中空部材３０を出入りし、双方の端部の接続及び接続の解除が実施されるようになっている。【選択図】図１
0003205976.tif 000002
【実用新案登録請求の範囲】
【請求項１】
平面視環状の身飾品であって、
前記環状の形状を構成する弾性ワイヤと、
前記弾性ワイヤの一方の端部に形成され、内部が空間部になっている中空部材と、
前記中空部材が形成されている端部とは別の前記弾性ワイヤの端部に接続された内側部材と、
を有し、
前記中空部材の前記空間部は、前記内側部材の外形よりも大きく形成されており、
前記中空部材は、
前記内側部材の外形よりも大きく形成された第一開口部と、
前記第一開口部の開口面に対して、略垂直方向に延びるように形成される第二開口部を有し、
前記第二開口部の幅は、前記内側部材の外形よりも小さく、かつ、前記弾性ワイヤの直径φ１よりも大きく形成されており、
前記内側部材の近傍の前記弾性ワイヤが前記第二開口部を出入りすることによって、前記内側部材が前記中空部材を出入りし、双方の前記端部の接続及び接続の解除が実施されるようになっている、
身飾品。
【請求項２】
前記第二開口部は、前記弾性ワイヤの直径φ１よりもわずかに大きい通路幅ｗ２を有する中間部と、前記中間部の通路幅ｗ２よりも大きな通路幅ｗ１を有する入口部と、前記入口部の通路幅ｗ１よりも大きな幅ｗ３を有する終端部を有する、
請求項１に記載の身飾品。
【請求項３】
前記内側部材が前記中空部材の前記第二開口部に侵入する直前において、前記弾性ワイヤによって、前記内側部材を前記第二開口部に押し込む方向に作用する力は、０．２５Ｎ（ニュートン）以上０．５Ｎ以下である、
請求項１または請求項２のいずれかに記載の身飾品。
【請求項４】
前記内側部材は、前記弾性ワイヤに着脱可能に接続されており、外付けの身飾品の取り付け部の内径が、前記弾性ワイヤの直径よりも大きければ、前記弾性ワイヤに取り付け可能に構成されている、
請求項１乃至請求項３のいずれかに記載の身飾品。
【考案の詳細な説明】
【技術分野】
【０００１】
本考案は、ネックレスやチョーカーなどの身飾品に関する。
【背景技術】
【０００２】
従来、簡易な操作でネックレスの連結及び解除を行うことを目的とする技術が提案されている（特許文献１）。
【先行技術文献】
【特許文献】
【０００３】
【特許文献１】特開２０１０−１７８８６４号公報
【考案の概要】
【考案が解決しようとする課題】
【０００４】
ネックレスやチョーカーにおいては、操作が簡易であり、かつ、故障の可能性が少ない必要がある。上述の技術においては、操作レバーを操作する必要があり、また、操作レバーのような可動部があるから、故障の可能性がある。
【０００５】
本考案はかかる問題の解決を試みたものであり、直感的に操作でき、かつ、故障の可能性が少ない身飾品の提供を目的とする。
【課題を解決するための手段】
【０００６】
第一の考案は、平面視環状の身飾品であって、前記環状の形状を構成する弾性ワイヤと、前記弾性ワイヤの一方の端部に形成され、内部が空間部になっている中空部材と、前記中空部材が形成されている端部とは別の前記弾性ワイヤの端部に接続された内側部材と、を有し、前記中空部材の前記空間部は、前記内側部材の外形よりも大きく形成されており、前記中空部材は、前記内側部材の外形よりも大きく形成された第一開口部と、前記第一開口部の開口面に対して、略垂直方向に延びるように形成される第二開口部を有し、前記第二開口部の幅は、前記内側部材の外形よりも小さく、かつ、前記弾性ワイヤの直径φ１よりも大きく形成されており、前記内側部材の近傍の前記弾性ワイヤが前記第二開口部を出入りすることによって、前記内側部材が前記中空部材を出入りし、双方の前記端部の接続及び接続の解除が実施されるようになっている、
身飾品である。
【０００７】
第一の考案の構成によれば、使用者は、内側部材を第一開口部の位置に合わせるだけで、弾性ワイヤの弾性によって、内側部材が第二開口部を通って中空部材の空間部に入り、双方の端部を接続することができる。内側部材の位置を中空部材の位置に合わせることは、直感的にできる作業である。また、中空部材には、所定の開口部が形成されているだけであり、内側部材にも可動部はないから、故障の可能性はほとんどない。すなわち、上記構成の身飾品は、直感的に操作でき、かつ、故障の可能性が少ない
【０００８】
第二の考案は、第一の考案の構成において、前記第二開口部は、前記弾性ワイヤの直径φ１よりもわずかに大きい通路幅ｗ２を有する中間部と、前記中間部の通路幅ｗ２よりも大きな通路幅ｗ１を有する入口部と、前記入口部の通路幅ｗ１よりも大きな幅ｗ３を有する終端部を有する、身飾品である。
【０００９】
第三の考案は、第一の考案または第二の考案の構成において、前記内側部材が前記中空部材の前記第二開口部に侵入する直前において、前記弾性ワイヤによって、前記内側部材を前記第二開口部に押し込む方向に作用する力は、０．２５Ｎ（ニュートン）以上０．５Ｎ以下である、身飾品である。
【００１０】
第四の考案は、第一の考案乃至第三の考案のいずれかの構成において、前記内側部材は、前記弾性ワイヤに着脱可能に接続されており、外付けの身飾品の取り付け部の内径が、前記弾性ワイヤの直径よりも大きければ、前記弾性ワイヤに取り付け可能に構成されている、身飾品である。
【考案の効果】
【００１１】
以上のように、本考案によれば、直感的に操作でき、かつ、故障の可能性が少ない身飾品を提供することができる。
【図面の簡単な説明】
【００１２】
【図１】本考案の一実施形態の身飾品を示す概略平面図である。
【図２】身飾品において、接続が解除された状態を示す概略平面図である。
【図３】中空部材を示す概略斜視図である。
【図４】中空部材を示す正面図である。
【図５】内側部材を示す概略斜視図である。
【図６】内側部材の内部構造を示す概略断面図である。
【図７】弾性ワイヤの内側部材側の端部を示す概略図である。
【図８】弾性ワイヤの内側部材側の端部とチャームを示す概略図である。
【図９】身飾品の接続状態を示す概略端面図である。
【図１０】身飾品の接続状態を示す概略端面図である。
【図１１】身飾品が接続される工程を示す概略図である。
【図１２】身飾品が接続される工程を示す概略図である。
【図１３】身飾品が接続される工程を示す概略図である。
【考案を実施するための形態】
【００１３】
本考案の実施形態を、図面を参照して説明する。なお、当業者が適宜実施できる構成については説明を省略し、本考案の基本的な構成についてのみ説明する。
【００１４】
図１及び図２に示すように、チョーカー１は、平面視で環状である。チョーカー１は、見飾品の一例である。なお、「チョーカー」は、ネックレスの一種であり、使用者の首に密着する種類のものである。
【００１５】
チョーカー１は、弾性ワイヤ１０を有する。弾性ワイヤ１０の一方の端部には、中空部材３０が配置されている。中空部材３０は、略球状で、内部が球状の空間となっており、一部が切り欠かかれて開口部となっている。弾性ワイヤ１０の他方の端部には、内側部材２０が着脱可能に接続されている。内側部材２０は小球状に形成されている。中空部材３０の内部空間の大きさは、内側部材２０の外形よりも大きい。すなわち、空間部の内径は、内側部材２０の外径よりも大きい。
【００１６】
内側部材２０と中空部材３０を介して、弾性ワイヤ１０の両端部が接続されるようになっている。内側部材２０が中空部材３０に入る直前の状態（図２参照）において、内側部材２０には、弾性ワイヤ１０の弾性力によって、矢印Ｚ２方向の力が作用している。矢印Ｚ２方向の力は、０．２５Ｎ（ニュートン）以上０．５Ｎ以下であり、本実施形態においては、０．３０Ｎである。弾性ワイヤ１０の弾性が弱すぎると、弾性ワイヤ１０の両端部の接続が困難である。逆に、弾性ワイヤ１０の弾性が強すぎると、使用者にとって、操作が困難である。この点、弾性ワイヤ１０の弾性を上記数値範囲にすることで、両端部を接続するまでの工程を効率的に実施でき、接続後も容易に外れることがなく、さらに、人間工学的観点から、チョーカー１の操作を効率的に実施することができる。
【００１７】
図３に示すように、中空部材３０は、球状本体部３０ａを有し、球状本体部３０ａには、円状の開口部である第一開口部３０ｂが形成されている。第一開口部３０ｂは、内側部材２０の外径よりも大きく形成されている。このように形成されているため、内側部材２０は、第一開口部３０ｂを通過して、中空部材３０の内部の空間部に入ることができる。
【００１８】
また、球状本体部３０ａには、第一開口部３０ｂの開口面に略垂直方向に延びるように第二開口部３０ｃが形成されている。第一開口部３０ｂと第二開口部３０ｃは連続した開口部である。第二開口部３０ｃは、入口部３０ｃａ、中間部３０ｃｂ及び終端部３０ｃｃで構成されている。第二開口部３０ｃは、弾性ワイヤ１０が通過する通路部である。図４に示すように、入口部３０ｃａの幅ｗ１、中間部３０ｃｂの幅ｗ２及び終端部３０ｃｃの幅ｗ３は、内側部材２０の外径φ２（図１１参照）よりも小さく、かつ、弾性ワイヤ１０の直径φ１（図１１参照）よりも大きく形成されている。また、幅ｗ１、ｗ２及びｗ３の関係は、幅ｗ２が最も狭く、幅ｗ１はｗ２よりも広く、幅ｗ３はｗ１よりも広い。幅ｗ２は、弾性ワイヤ１０の直径φ１よりも、わずかに広い。
【００１９】
内側部材２０の近傍の弾性ワイヤ１０が第二開口部３０ｃを出入りすることによって、内側部材２０が中空部材３０の空間部を出入りし、弾性ワイヤ１０の両端部の接続及び接続の解除が実施されるようになっている。
【００２０】
図５及び図６に示すように、内側部材２０は、球状本体部２０ａを有し、球状本体部２０ａには、貫通孔２０ｂが形成されている。貫通孔２０ｂの内壁２０ｂａには雌螺子が形成されている。
【００２１】
図７に示すように、弾性ワイヤ１０の一端部には雄螺子１０ａが形成されており、内側部材２０の貫通孔２０ｂの雌螺子と着脱可能に螺合するようになっている。
【００２２】
図８は、弾性ワイヤ１０とチャーム５０を示す。チャーム５０は、外付け身飾品の一例である。チャーム５０は取り付け環部５０ａとチャーム本体部５０ｂから構成される。取り付け環部５０ａの内径φ３が、弾性ワイヤ１０の直径φ１よりも大きければ、弾性ワイヤ１０から内側部材２０を取り外すことによって、チャーム５０を弾性ワイヤ１０に取り付けることができる。すなわち、チャーム５０の取り付け環５０ａの内径φ３は、球状部材２０の外径φ２よりも小さくても、弾性ワイヤ１０の直径φ１よりも大きければ、チャーム５０を弾性ワイヤ１０に取り付けることができる。これにより、チャーム５０のデザインの自由度が増す。
【００２３】
図９は、弾性ワイヤ１０の両端部が、中空部材３０と内側部材２０を介して接続された状態において、図１の矢印Ｚ１方向から、接続部を拡大して視た概略断面図であり、図１０は、紙面手前方向から見た概略断面図である。図９及び図１０に示すように、内側部材２０は、中空部材３０の空間部３０ｄに入っている。
【００２４】
図１１、図１２及び図１３に、弾性ワイヤ１０の両端部が接続される様子を示す。図１１に示すように、内側部材２０が中空部材３０の第一開口部３０ｂ近傍に配置されたとき、内側部材２０は、弾性ワイヤ１０の弾性によって、矢印Ｚ２方向に付勢されている。そして、チョーカー１の構造から、弾性ワイヤ１０の内側部材２０近傍の部分は、自然に第二開口部３０ｃの入り口部３０ｃａの位置に配置される。入り口部３０ｃａの幅ｗ１は、弾性ワイヤ１０の直径φ１よりも十分に大きく形成されており、弾性ワイヤ１０と入り口部３０ｃａの位置が必ずしも正確に一致しなくても、弾性ワイヤ１０は自然に第二開口部３０ｃ内に導かれ（図１２参照）、終端部３０ｃｃにおいて、ある程度の自由度をもって、固定される。弾性ワイヤ１０が、第二開口部３０ｃ内において固定された後は、中間部３０ｃｂの幅が終端部３０ｃｃの幅よりも狭く形成されており、しかも、弾性ワイヤ１０は矢印Ｚ２方向に付勢されていることから、使用者の意図に反して、内側部材２０が中空部材３０から離脱することはない。
【符号の説明】
【００２５】
１  チョーカー
１０  弾性ワイヤ
２０  内側部材
３０  中空部材
【図１】
0003205976.tif 000003
【図２】
0003205976.tif 000004
【図３】
0003205976.tif 000005
【図４】
0003205976.tif 000006
【図５】
0003205976.tif 000007
【図６】
0003205976.tif 000008
【図７】
0003205976.tif 000009
【図８】
0003205976.tif 000010
【図９】
0003205976.tif 000011
【図１０】
0003205976.tif 000012
【図１１】
0003205976.tif 000013
【図１２】
0003205976.tif 000014
【図１３】
0003205976.tif 000015